(57)【要約】  コンシューマに低電圧を供給する差込式電源であって、動作時に適合する交換可能な電源プラグユニットの１つを有する電源アダプタユニットとして構成される差込式電源。電源アダプタユニットは、ハウジングと；電源電圧を要求される低電圧に変換するハウジング内の変圧器モジュールと；電源アダプタユニットの電源ソケット方向に向けられる内側における、プラグユニットのための係合座部であって、プラグユニットが摺動可能に接続される係合座部と；プラグユニットの電力アダプタユニット方向に向けられた内側における接点に変圧器モジュールを接続する、座部内の少なくとも２つの電気接点と；係合座部の、プラグユニットの摺動を制限する後側プロフィール部における係止部材と、を備える。プラグユニットは、プラグユニットの外側から伸長しかつプラグユニットの内側の接点に接続された少なくとも２つの電源プラグピンと；プラグユニットの内側の接点のための安全凹部と；ボタンを備える係止構造部であって、ボタンの押下によって係止構造部が解放されてプラグユニットが係合座部から摺動可能になるように係止部材と相互作用する係止構造部と、を備える。
2017526138.tif 000002
【特許請求の範囲】
【請求項１】
電源アダプタユニットおよび交換可能な着脱式電源プラグユニットを備える、コンシューマデバイスに低電圧を供給するための差込式電源であって、
前記電源アダプタユニットは、ハウジングと；電源電圧を前記要求される低電圧に変換するための、前記ハウジング内の変圧器モジュールと；前記電源アダプタユニットの電源ソケット方向に向けられる内側における、前記プラグユニットのための係合座部であって、前記プラグユニットが摺動可能に接続される係合座部と；前記プラグユニットの前記電力アダプタユニット方向に向けられた内側における接点に前記変圧器モジュールを接続する、前記座部内の少なくとも２つの電気接点と；前記係合座部の、前記プラグユニットの前記摺動を制限する後側プロフィール部における係止部材と、を備え、
前記プラグユニットは、前記プラグユニットの外側から伸長しかつ前記プラグユニットの前記内側の前記接点に接続された少なくとも２つの電源プラグピンと；前記プラグユニットの前記内側の前記接点のための安全凹部と；ボタンを備える係止構造部であって、前記ボタンの押下によって前記係止構造部が解放されて前記プラグユニットが前記係合座部から摺動可能になるように前記係止部材と相互作用するための係止構造部と、を備える、
電源。
【請求項２】
前記プラグユニットは、前記係合座部の側壁において前記係合座部に摺動可能に接続されている、
請求項１に記載の電源。
【請求項３】
前記係止部材は、フレーム、および、前記フレームに柔軟に接続された先端部であって、前記先端部と前記後側プロフィール部との間に空隙を形成している、先端部を備える、
請求項１または２に記載の電源。
【請求項４】
前記係止部材は、前記係合座部の前記後側プロフィール部に柔軟に接続された係止アームであって、前記アームと前記後側プロフィール部との間に空隙を形成している、係止アームを備える、
請求項１または２に記載の電源。
【請求項５】
前記係止構造部は、前記空隙内に突出するスナップ部を備え、前記ボタンは、前記先端部の上方に伸長しているフランジ部によって形成されている、
請求項３または４に記載の電源。
【請求項６】
前記先端部の上方に伸長しているフランジ部は、前記先端部に向かって伸長するフランジ部を縁部に有する、
請求項５に記載の電源。
【請求項７】
前記係止部材は、摺動隆起部を有する、
請求項３〜６のいずれか一項に記載の電源。
【請求項８】
前記係止部材は、前記空隙を形成する縁部に、段差部であって、前記スナップ部が前記段差部の踏面で支持されるための段差部を有する、
請求項３〜７のいずれか一項に記載の電源。
【請求項９】
前記座部内の前記少なくとも２つの電気接点は、ばね接点である、
請求項１〜８のいずれか一項に記載の電源。
【請求項１０】
前記プラグユニットは、前記電源装置の縁部に、前記座部の対応する縁部の適合プロフィール部に接触しているフランジ部であって、前記プラグユニットと前記座部との間の複数の空隙を被覆するように伸長するフランジ部を有する、
請求項１〜９のいずれか一項に記載の電源。
【請求項１１】
前記複数の空隙は、水の侵入に対して密封されている、
請求項１０に記載の電源。
【請求項１２】
前記接触は、前記プラグユニットの前記フランジ部の内側に貼付された軟質材料によって密封されており、前記材料には、前記プラグユニットと前記電源アダプタユニットとが係止されることに起因して圧力がかかり、それにより前記材料は水を通さない、
請求項１０または１１に記載の電源。
【請求項１３】
前記フランジ部の内側、および、前記座部の前記対応する縁部の前記適合プロフィール部の少なくとも一方は、水が前記電源の対応する面にこぼれた場合に前記係合座部内への漏水を防止するように前記接触を十分緊密にする材料で被覆されている、
請求項１０または１１に記載の電源。
【請求項１４】
前記摺動可能な接続は、前記係合座部の前側縁部において開始されている、
請求項１〜１３のいずれか一項に記載の電源。
【請求項１５】
前記安全凹部の深さは５．５ｍｍ以上であり、前記安全凹部の幅は２．４ｍｍ以下である、
請求項１〜１４のいずれか一項に記載の電源。
【請求項１６】
１つ以上の誘電性ピンが、前記係合座部から突出している、
請求項１〜１５のいずれか一項に記載の電源。
【請求項１７】
前記プラグユニットは、前記電気接点のための１つ以上のシャッターを前記プラグユニットの前記内側に備え、前記アダプタユニットは、前記シャッターを開いたままに保持する１つ以上の誘電性ピンを備える、
請求項１〜１６のいずれか一項に記載の電源。
【請求項１８】
複数の種類の電源ソケットのいずれかからコンシューマに低電圧を供給するための差込式電源セットであって、
前記セットが電源アダプタユニットおよび複数の交換可能な着脱式電源プラグユニットを備える結果、組み合わせられた電源は、前記電源アダプタユニット、および前記複数の交換可能な着脱式電源プラグユニットの１つを備え、
前記電源アダプタユニットは、ハウジングと；前記複数の種類の電源ソケットのいずれかからの電源電圧を前記要求される低電圧に変換するための、前記ハウジング内の変圧器モジュールと；前記電源アダプタユニットの電源ソケット方向に向けられる内側における、前記複数のプラグユニットのそれぞれのための係合座部であって、前記複数の電源プラグユニットの１つが摺動可能に接続される係合座部と；前記１つのプラグユニットの前記電源アダプタユニット方向に向けられる内側における接点に前記変圧器モジュールを接続する、前記座部内の少なくとも２つの電気接点と；前記係合座部の、前記１つのプラグユニットの前記摺動を制限する後側プロフィール部における係止部材と、を備え、
各プラグユニットが、前記複数の種類の電源ソケットのうちの所定の種類の電源ソケットのための電源プラグピンであって、前記プラグユニットの外側から伸長しかつ前記プラグユニットの前記内側の前記接点に接続された電源プラグピンと；前記プラグユニットの前記内側の前記接点のための安全凹部と；ボタンを備える係止構造部であって、前記電源が組み立てられた状態で前記ボタンを押下することによって前記係止構造部が解放されて前記プラグユニットが前記係合座部から摺動可能になるように前記電源アダプタユニットの前記係止部材と相互作用するための係止構造部と、を備える、
差込式電源セット。
【請求項１９】
電源アダプタユニットおよび交換可能な着脱式電源プラグユニットを備える、コンシューマに低電圧を供給するための差込式電源であって、
電源アダプタユニットは、ハウジングと；電源電圧を前記要求される低電圧に変換するための、前記ハウジング内の変圧器モジュールと；前記電源アダプタユニットの電源ソケット方向に向けられる内側における、前記プラグユニットのための係合座部であって、前記プラグユニットが摺動可能に接続される係合座部と；前記プラグユニットの前記電力アダプタユニット方向に向けられた内側における接点に前記変圧器モジュールを接続するための、前記座部内の少なくとも２つの電気接点と；前記係合座部の、前記プラグユニットの前記摺動を制限する後側プロフィール部における係止部材と、を備え、
前記プラグユニットは、前記プラグユニットの外側から伸長しかつ前記プラグユニットの前記内側の接点に接続された少なくとも２つの電源プラグピンと；前記プラグユニットの前記内側の前記接点のための安全凹部と；前記係止部材と相互作用する解放可能な係止構造部であって、前記係止構造部の解放によって前記プラグユニットは前記係合座部から摺動可能になる、係止構造部と、を備え、
前記プラグユニットは、前記電源装置の縁部に、前記座部の前側縁部の適合プロフィール部に接触しているフランジ部であって、前記プラグユニットと前記座部との間の複数の空隙を被覆するように伸長するフランジ部を有する、
電源。
【請求項２０】
前記接触は、前記プラグユニットの前記フランジ部の内側に貼付された軟質材料によって密封されており、前記材料には、前記プラグユニットと前記電源アダプタユニットとが係止されることに起因して圧力がかかり、それにより前記材料は水を通さない、
請求項１９に記載の電源。
【請求項２１】
前記フランジ部の内側、および、前記座部の前記前側縁部の前記適合プロフィール部の少なくとも一方は、水が前記電源の対応する面にこぼれた場合に前記係合座部内への漏水をＩＰＸ１の防水規格等級に基づき防止するように前記接触を十分緊密にする材料で被覆されている、
請求項１９または２０に記載の電源。
【請求項２２】
前記摺動可能な接続は、前記係合座部の前記前側縁部において開始されている、
請求項１９〜２１のいずれか一項に記載の電源。
【請求項２３】
複数の種類の電源ソケットのいずれかからコンシューマに低電圧を供給するための差込式電源セットであって、
前記セットが電源アダプタユニットおよび複数の交換可能な着脱式電源プラグユニットを備える結果、組み合わせられた電源は、前記電源アダプタユニット、および前記複数の交換可能な着脱式電源プラグユニットの１つを備え、
前記電源アダプタユニットは、ハウジングと；前記複数の種類の電源ソケットのいずれかからの電源電圧を前記要求される低電圧に変換するための、前記ハウジング内の変圧器モジュールと；前記電源アダプタユニットの電源ソケット方向に向けられる内側における、前記複数のプラグユニットのそれぞれのための係合座部であって、前記複数の電源プラグユニットの１つが摺動可能に接続される係合座部と；前記１つのプラグユニットの前記電源アダプタユニット方向に向けられる内側における接点に前記変圧器モジュールを接続する、前記座部内の少なくとも２つの電気接点と；前記係合座部の、前記１つのプラグユニットの前記摺動を制限する後側プロフィール部における係止部材と、を備え、
各プラグユニットが、前記複数の種類の電源ソケットのうちの所定の種類の電源ソケットための電源プラグピンであって、前記プラグユニットの外側から伸長しかつ前記プラグユニットの前記内側の前記接点に接続された電源プラグピンと；前記プラグユニットの前記内側の前記接点のための安全凹部と；前記係止部材と相互作用する解放可能な係止構造部であって、前記係止構造部の解放によって前記プラグユニットは前記係合座部から摺動可能になる、係止構造部と、を備え、
各プラグユニットは、前記電源装置の縁部に、前記座部の対応する縁部の適合プロフィール部に接触しているフランジ部であって、前記プラグユニットと前記座部との間の複数の空隙を被覆するように伸長するフランジ部を有する、
差込式電源セット。
【請求項２４】
携帯電話、および請求項１〜１７および請求項１９〜２２のいずれか一項に記載の前記差込式電源を備える携帯電話パッケージであって、前記低電圧は前記携帯電話の充電に必要な電圧である、
携帯電話パッケージ。
【請求項２５】
タブレットＰＣ、および請求項１〜１７および請求項１９〜２２のいずれか一項に記載の前記差込式電源を備えるタブレットＰＣパッケージであって、前記低電圧は、前記タブレットＰＣの充電に必要な電圧である、
タブレットＰＣパッケージ。
【発明の詳細な説明】
【技術分野】
【０００１】
本発明は、コンシューマに低電圧を供給するための差込式電源（plug-in power supply）に関し、特に、動作時に適合する交換可能な電源プラグユニットの１つを有する電源アダプタユニットとして構成される差込式電源に関する。
【背景技術】
【０００２】
最小電力範囲の差込式電源は、電子工学のコンセプトに関する限り、様々な電源プロファイルで（例えば電圧振幅および周波数が世界中の様々な地域で異なる）動作可能に作られることが多い。そのようなスイッチング電源は、例えば携帯電話産業またはタブレットＰＣ産業等の多くの利用分野において使用されている。したがって差込式電源は、電気器具にいわゆるユニバーサル入力電圧の入力を提供することができる。しかしながら、同様に、世界中の様々な地域で電気ソケットやプラグの要件に大きな違いがある。
【０００３】
その結果、差込式電源は、いわゆるプラグアダプタと共に使用されることが多い。プラグアダプタは、１種類以上の電源ソケットに使用される形状の１つまたは複数のプラグを有する。プラグアダプタはまた、１種類以上の電源プラグに使用される形状の１つまたは複数のソケットを有する。アダプタの１つまたは複数のプラグおよびソケットが配線される結果、プラグアダプタが例えばヨーロッパ型の電源ソケットに差し込まれる場合に、ユーザは、ユーザの米国型プラグを有するデバイスのプラグをこのアダプタのソケットに差し込むことができる。しかしながら、典型的にはプラグアダプタによって、差込式電源と電源ソケットとの間の距離が広がることにより、電源ソケットに作用するトルクが増大することが原因で電気的つながりの安全性が損なわれる。多くの場合、プラグアダプタは、数種類の電源プラグに使用される形状の１つのソケットのみを有する（すなわち、プラグアダプタのソケットは、いくつかの異なる電源ソケットの特徴を有する）。これもまた、プラグアダプタの安全性を低下する。プラグのピンがプラグアダプタのソケットに挿入され、かつ空隙が残っている場合に、電力が供給されたピンとの不慮の接触が起こりやすくなるからである。
【０００４】
したがって、差込式電源には複数の交換可能な電源プラグユニットを備えるように設計されるものもあり、動作時には電源プラグユニットの、その地域の電源ソケットに適合する１つが使用される。差込式電源の電源プラグユニットは、電気的つながりにおける次の構成要素（すなわち、差込式電源の電源アダプタユニット）に電源ソケットを提供するように構成されていない点でプラグアダプタとは異なる。電源アダプタユニットもまた、電源ソケット用のプラグを通常は有しないため、差込式電源の一部分のみを構成している。
【０００５】
交換可能な、または（同義であるが）取替可能な電源プラグユニットを有する差込式電源の一例が特許文献１に開示されている。
【０００６】
当業者であれば、新たな電源を有する携帯電話パッケージが用意されうることが分かるであろう。このパッケージは例えば、従来技術の、特に市場に出まわっている携帯電話、および携帯電話の充電に必要な低電圧を提供するように適合された差込式電源が含まれうる。
【０００７】
同様に、当業者であれば、新たなタブレットＰＣパッケージまたは新たなラップトップコンピュータパッケージが作られうることが分かるであろう。
【先行技術文献】
【特許文献】
【０００８】
【特許文献１】米国特許第７，５６３，１１５号明細書
【発明の概要】
【０００９】
発明者の考えでは、交換可能な着脱式電源プラグユニットを有する電源を特徴づける様々なパラメータのバランスを、様々な先行技術の設計に対して改良することが望ましい。そのようなバランスの改良は特に、片手のみで便利に使用できる電源を構成することによって実現されうる。この装置の設計は、安価な製造を可能にするものである。
【００１０】
したがって、本装置の全体としての取扱いは、プラグユニットの交換に関する限り実質的に簡易化されており、全体的な設計は、より高いプロセス信頼性が実現されるように具現化可能である。
【００１１】
添付の図面は、本発明の原理を説明する目的で明細書内に援用されかつ明細書の一部を成す。本発明が図面によって、本発明の作製・使用がどのように可能であるかを図示・説明する実施例のみに制限されるものと解釈されるべきではない。本発明に係る差込式電源の同様のまたは一致する詳細部分には、同一の参照番号を付す。さらなる特徴および利点が、本発明の、添付の図面において例示したより具体的な以下の説明から明らかになろう。
【図面の簡単な説明】
【００１２】
【図１】本発明のいくつかの実施形態に係る、プラグユニットが電源アダプタユニットと係合する位置にある、組み立てられる状態の差込式電源の斜視図である。
【図２】組み立てられた状態の図１の差込式電源の断面側面図である。
【図３】プラグユニットと電源アダプタユニットとが係止された、図２の断面の一領域の拡大斜視図である。
【図４】図１のプラグユニットの内側の斜視図である。
【図５】本発明のいくつかの実施形態に係る、水の侵入から保護された組み立てられた状態の電源の側面図である。
【図６】図５の電源の一部の斜視図である。
【図７Ａ】電源アダプタユニットのハウジングの製品図面の例を示す図である。
【図７Ｂ】電源アダプタユニットのハウジングの製品図面の例を示す図である。
【図７Ｃ】電源アダプタユニットのハウジングの製品図面の例を示す図である。
【図８】電源アダプタユニットのハウジングの製品図面の例を示す図である。
【図９】ヨーロッパのソケットに適合するプラグユニットの製品図面の例を示す図である。
【図１０Ａ】英国のソケットに適合するプラグユニットの製品図面の例を示す図である。
【図１０Ｂ】図１０Ａのプラグユニットが有するシャッターの製品図面の例を示す図である。
【図１０Ｃ】シャッターカバーの製品図面の例を示す図である。
【図１０Ｄ】プラグユニットが図１０Ｂおよび図１０Ｃのシャッターおよびシャッターカバーによってどのように組み立てられうるかを示す図である。
【図１１】米国のソケットに適合するプラグユニットの製品図面の例を示す図である。
【図１２】オーストラリアのソケットに適合するプラグユニットの製品図面の例を示す図である。
【図１３】電源が１２Ｗの電力を提供する差込式電源セットの例を示す図である。
【図１４】電源が１８Ｗの電力を提供する差込式電源セットの例を示す図である。
【図１５Ａ】１８Ｗの電力を提供しうる電源アダプタユニットのハウジングの製品図面の例を示す図である。
【図１５Ｂ】１８Ｗの電力を提供しうる電源アダプタユニットのハウジングの製品図面の例を示す図である。
【図１５Ｃ】１８Ｗの電力を提供しうる電源アダプタユニットのハウジングの製品図面の例を示す図である。
【図１５Ｄ】１８Ｗの電力を提供しうる電源アダプタユニットのハウジングの製品図面の例を示す図である。
【図１６Ａ】ばねとして作られた電気接点の製品図面の例を示す図である。
【図１６Ｂ】ばねとして作られた電気接点の製品図面の例を示す図である。
【図１６Ｃ】ばねとして作られた電気接点の製品図面の例を示す図である。
【図１６Ｄ】ばねとして作られた電気接点の製品図面の例を示す図である。
【発明を実施するための形態】
【００１３】
本発明の例示の実施形態を、図を参照して説明する。各図において、同じ要素および同じ構造を同じ参照番号で示す。
【００１４】
図１を参照する。図１は、プラグユニット２００が電源アダプタユニット１００と係合する位置にある、組み立てられる状態の差込式電源１０の斜視図である。図１は好ましい実施形態を表しており、図１の全ての部分が本発明の構成に必須なわけではない。
【００１５】
電源アダプタユニット１００は、ハウジング１１０と、電源アダプタユニットの電源ソケット方向に向けられる内側１２５における、プラグユニットのための係合座部１２０と、座部１２０内の２つの電気接点１３０と、係合座部の後側プロフィール部（rear profile）１４５における係止部材１４０と、を有する。ハウジング１１０はさらに、電源電圧を要求される低電圧に変換するための変圧器モジュールをハウジング内に有する（しかしながら、この変圧器モジュールは図示されていない）。異なる実施形態では、電気接点の数は２つより多くてもよい。特に、電気接点の数を３つとしてもよい。電気接点１３０は、変圧器モジュールをプラグユニット２００の内側の接点に接続する。これら電気接点１３０はばね接点でありうる。プラグユニット２００の電源アダプタユニット方向に向けられた内側は例えば、図４に示される。
【００１６】
図１では、プラグユニット２００は、係合座部１２０に摺動可能に接続される用意ができている。係合座部の後側プロフィール部１４５は、プラグユニットの摺動を制限することができる。
【００１７】
また、図１では、プラグユニット２００は、プラグユニットの外側から伸長している２つの電源プラグピン２１０、および係止構造部２４０を有する。係止構造部２４０は、例えば図３のボタン２４２のようなボタンを有する。電源が組み立てられている状態では、係止構造部は、ボタンの押下によって、係止構造部２４０を解放することおよびプラグユニット２００を係合座部１２０から押すことができるように係止部材１４０と相互作用している。プラグユニット２００は、フランジ部２３０を有するが、フランジ部２３０は任意選択的な特徴である。
【００１８】
また、プラグユニット２００は、電気接点１３０と接続される接点をプラグユニット２００の内側に有する。プラグユニット２００は、プラグユニットの接点のための安全凹部（safety recess）をプラグユニットの内側に有する。上述のように、プラグユニット２００の内側は、図４に一例として示されている。
【００１９】
図１では、プラグユニット２００は、係合座部の側壁１２２，１２３において係合座部に摺動可能に接続されている。しかしながら、他の実施形態では、係合座部は例えば、側壁を有せずに形成されても、側壁の適所に凹部を有して形成されてもよい。プラグユニット２００と係合座部１２０との摺動可能な接続は例えば、プラグユニットのハウジングのリブ部、および係合座部１２０における適合するスロットによって形成されうる。
【００２０】
図２を参照する。図２は、組み立てられた状態の差込式電源１０の断面の側面斜視図である。ボタン２４２を親指または親指以外の指で押下することによって、係止構造部２４０と係止部材１４０との係止を解放することができ、次いで、係止構造部２４０と係止部材１４０とが係合されていない状態で同じ親指または親指以外の指でプラグユニットの本体を押圧することによっておよび／またはボタン２４２を押しながら当該親指または親指以外の指とボタン２４２との摩擦力によってプラグユニットを左に摺動させることができる。親指以外の指または親指の、触れている表面での摺動が不要であるほうが好適である。ボタンがプラグユニットではなく電源アダプタユニットの一部である場合がありうるからである。
【００２１】
図３を参照する。図３は、プラグユニット２００と電源アダプタユニット１００とが適切に係止された、図２の断面の一領域の拡大斜視図である。図３は、係止構造部がボタンを有し、かつ係止部材と相互作用しており、ボタンを押下することによって係止構造部が解放されてプラグユニットが係合座部から摺動可能になるいくつかのありうる配置の１つを示している。
【００２２】
図３では、係止部材１４０は、矩形を半分にした形のフレーム１４０１、およびこのフレームから突出する固定されていない先端部１４０４を有する。この先端部と係合座部の後側プロフィール部の間に空隙１４２が形成されている。先端部１４０４は、柔軟にフレーム１４０１に接続されている。係止構造部２４０は、ボタン２４２に加えてスナップ部２４４を有する。スナップ部２４４は、電源が組み立てられた状態で空隙１４２内に突出して部分的にこの空隙を埋める。ボタン２４２は、先端部１４０４の上方に伸長しているフランジ部２４２１によって形成されている。フランジ部２４２１は、摺動手段の中で保持されるプラグユニット２００の本体に柔軟に接続されている。
【００２３】
したがって、フランジ部２４２１を押下することによってフランジ部２４２１の平面とスナップ部２４４の上面の平面との角度が変わる。係止部材１４０の先端部１４０４が降下し、先端部と係合座部の後側プロフィール部との間の空隙１４２が先端部１４０４の降下に伴って移動する。最終的にはスナップ部２４４が図３の左方向に移動可能になる。
【００２４】
図３では、係合座部の後側プロフィール部は、踏面１４５２を有する段差部を有する。この踏面を有する段差部は一般的には任意選択のものであるが、スナップ部２４４は好適に踏面１４５２によって支持される。このような配置では、先端部１４０４と係合座部のプロフィール部との間の空隙１４２は、先端部の動きに伴って降下するだけでなく、新たな形状にもなる。
【００２５】
さらに、スナップ部が、スナップ部２４４のように、矩形を半分にしたフレームの形を有しうることが図３からわかる。この形によって、プラグユニットが電源アダプタユニットから取り外されているときにボタン２４２が保護される。
【００２６】
図３では、係止部材１４０の上方に伸長しているフランジ部２４２１は、係止部材に向かって伸長するフランジ部２４２２を縁部に有する。フランジ部２４２２は、任意選択のものであるが、プラグユニット２００が電源から外されるときに押す力を係止部材１４０に伝えることに役立ちうる。
【００２７】
さらに、係止部材１４０がボタン２４２との相互作用のための摺動隆起部（sliding bump）１４０５を有するフランジ部として形成されうることが図３からわかる。プラグユニットが係合座部に押し込まれるとき、ボタン２４２は、係合座部の底部から移動し、係止部材１４０の先端部１４０４は、係合座部の底部に向かって移動する。したがって、隆起部１４０５によって、プラグユニットを電源アダプタユニットに設置することがより容易になる。
【００２８】
代替的な構成では、係止構造部は、係合座部の後側プロフィール部に一端部のみで取り付けられる係止アームとして形成されうる。この係止アームは例えば、摺動平面においてフックの形状を有するフランジ部、特に、側方平面において２回９０°湾曲されたフランジ部として形成されうる。そのような形状によって、親指または親指以外の指１本のみで係止アームの先端部を係合座部に押し込むことがより容易になる。
【００２９】
図３では、係止部材１４０は、先端部と係合座部の後側プロフィール部との間に空隙１４２を形成する先端部１４０４に踏面１４０７を有する段差部１４０６を有している。この任意選択的な要素は、係止をより安定させることに役立つ。スナップ部２４４が踏面１４０７で支持され、ボタン、および係止部材の先端部の移動を制限するからである。
【００３０】
図４を参照する。図４は、プラグユニット２００の内側の斜視図である。図４は、プラグユニット２００が、プラグユニット２００の、電気接点１３０に接続される接点のための安全凹部２２０を有していることを示す。安全凹部の深さを５．５ｍｍ以上、その幅を２．４ｍｍ以下とすることが好ましい。
【００３１】
人が片手のみで使用する場合に水をこぼす高いリスクがありうるため、電源を追加的に保護することが有益でありうる。この目的のために、プラグユニット２００には、図１にも示されるようなフランジ部２３０が備えられている。
【００３２】
図１からわかるように、フランジ部２３０は、係合座部１２０の対応する、すなわち前側の縁部のプロフィール部１０５に適合する。フランジ部２３０は、摺動可能な接続に起因する空隙、すなわち、プラグユニット２００と係合座部１２０の底部との間の横方向空隙、およびプラグユニット２００と係合座部１２０の側壁との間の縦方向空隙を被覆するように伸長している。
【００３３】
したがって、本電源では、プラグユニットと電源アダプタユニットとが水の侵入に対して密封されて接触しうる。
【００３４】
さらに、プラグユニットは図４の層２３２のような、フランジ部２３０の内側に貼付される軟質材料の層を有しうる。プラグユニットが電源アダプタユニットに設置されている状態で、プラグユニットと電源アダプタユニットとの係止によって軟質材料に圧力がかかる寸法設定の場合に、プラグユニットと電源アダプタユニットとの接触はよりいっそう防水性の高いものになりうる。
【００３５】
代替的にいくつかの構成では、軟質および／または弾性の材料が係合座部の前側プロフィール部に存在しうる。これは、必要とされる材料の量を少なく維持することに役立ちうる。軟質材料はまた、プラグユニットのフランジ部と、このフランジ部が適合する、係合座部のプロフィール部との両方に貼付されうる。
【００３６】
各実施例において、プラグユニットと電源アダプタユニットの係合座部との摺動可能な接続は、係合座部の縁部において開始されるように配置されていてもよく、その結果、この接続はより長くなり、したがってこの接続の水の侵入に対する耐性は高められている。換言すれば、摺動可能な接続を配置しうるリブ部および／またはスロットが、電源アダプタユニットの前側縁部において開始されうる。
【００３７】
本電源は、英国の電源ソケットで使用されるように構成されうる。この場合、電源アダプタユニットは、係合座部から突出している１つ以上の誘電性ピンを有する。これらピンは、プラグユニットがプラグユニット内にシャッターを有し、かつ係合座部内に摺動したときに、そのようなシャッターを開くためのものである。プラグユニットは２つ以上のシャッターを有していてもよく、例えば各電気接点にシャッターを１つずつ有していてもよい。
【００３８】
図１の例では、電源アダプタユニット１００は、誘電性ピン１３２および誘電性ピン１３３を２つずつ有する。これらピンは、接点１３０を保持および保護するためにペアで配置されている。これら４つのピンの２つの前側ピンは、２つの後側ピンより強度が高くてもよい。前側ピンがシャッターを開くために使用されうるからである。
【００３９】
ここで図５を参照する。図５は、本発明のいくつかの実施形態に係る水の侵入から保護された電源の側面図である。図６は、図５の電源の一部の斜視図である。
【００４０】
水に対する保護は、図１〜図４を参照して上述の実施例のいずれかと同様に構成されうる。他の部分の構成は、可能な場合、同一である必要はない。
【００４１】
したがって、いくつかの実施形態は、水の侵入からの保護に焦点を置いた、コンシューマに低電圧を供給するための差込式電源であって、電源アダプタユニットおよび交換可能な着脱式電源プラグユニットを有する電源に関する。
【００４２】
一例を挙げると、電源アダプタユニットは、図１のハウジング１１０のようなハウジングと、電源電圧を要求される低電圧に変換するための、ハウジング内の変圧器モジュールと、電源アダプタユニットの電源ソケット方向に向けられる内側における、プラグユニットのための係合座部（例えば、図１の係合座部１２０）であって、プラグユニットが摺動可能に接続される係合座部と、プラグユニットの電源アダプタユニット方向に向けられた内側における接点に変圧器モジュールを接続するための、座部内の少なくとも２つの電気接点と、を有する。電源アダプタユニットはさらに、係合座部の、プラグユニットの摺動を制限する後側プロフィール部における係止部材を有する。
【００４３】
プラグユニットは、プラグユニットの外側から伸長しかつプラグユニットの内側の接点に接続された少なくとも２つの電源プラグピンと、プラグユニットの内側の接点のための安全凹部と、係止部材と相互作用する解放可能な係止構造部であって、係止構造部の解放によってプラグユニットは係合座部から摺動可能になる、係止構造部と、を有する。
【００４４】
プラグユニットはさらに、電源装置の縁部に、座部の対応する縁部の適合プロフィール部に接触するフランジ部であって、摺動可能な接続を保護しかつプラグユニットと座部との間の空隙を被覆するように伸長するフランジ部を有する。
【００４５】
本電源において、上記接触は、プラグユニットのフランジ部の内側に貼付された軟質材料によって密封され得る。この軟質材料には、プラグユニットと電源アダプタユニットとが係止されることに起因して圧力がかかり、したがってこの軟質材料は水を通さない。
【００４６】
本電源において、上記フランジ部の内側、および、座部の対応する縁部における適合プロフィール部の少なくとも一方は、水が電源の対応する面にこぼれた場合に係合座部内への漏水を防止するように上記接触を十分緊密にする材料で被覆されうる。
【００４７】
本電源は、例えば特許または任意の他の利権の状態で定められるＩＰＸ１の防水規格等級に基づき防水されうる。
【００４８】
摺動可能な接続は、電源の係合座部の縁部において開始されうる。
【００４９】
図７Ａ、図７Ｂおよび図８を参照する。これら図は、電源アダプタユニットのハウジングの製品図面の例を示す。このハウジングは、図７Ａおよび図７Ｂの例に示される内側部分、すなわち電源方向に向けられる底部分と、図８に示される外側部分、すなわち上部との２つの部分から組み立てられる。このユニットは、１２Ｗの電力を提供しうる。
【００５０】
上記製品図面は、本特許書類の他の部分の情報を考慮すれば当業者にとって説明を要しないものであるはずである。
【００５１】
図９を参照する。図９は、ヨーロッパのソケットに適合するプラグユニットの製品図面の例を示す。
【００５２】
図１０Ａを参照する。図１０Ａは、英国のソケットに適合するプラグユニットの製品図面の例を示す。このプラグユニットはシャッターを有し、図１０Ｂは、このシャッターの製品図面の例を示す。図１０Ｃは、シャッターカバーの製品図面の例を示す。図１０Ｄは、プラグユニットが図１０Ｂおよび図１０Ｃのシャッターおよびシャッターカバーによってどのように組み立てられうるかを示す。
【００５３】
図１１を参照する。図１１は、米国のソケットに適合するプラグユニットの製品図面の例を示す。
【００５４】
図１２を参照する。図１２は、オーストラリアのソケットに適合するプラグユニットの製品図面の例を示す。
【００５５】
複数の種類の電源ソケットのいずれかからコンシューマに低電圧を供給するための様々な差込式電源セットが用意されうる。この電源セットが、電源アダプタユニットおよび複数の交換可能な着脱式電源プラグユニットを有する結果、組み合わせられた電源は、上記電源アダプタユニットと、上記複数の交換可能な着脱式電源プラグユニットの１つを備える。
【００５６】
図１３を参照する。図１３は、電源が１２Ｗの電力を提供する差込式電源セットの例を示す。
【００５７】
図１４を参照する。図１４は、電源が１８Ｗの電力を提供する差込式電源セットの例を示す。
【００５８】
図１５Ａ〜図１５Ｄを参照する。図１５Ａ〜図１５Ｄは、１８Ｗの電力を提供しうる電源アダプタユニットのハウジングの製品図面の例を示す。ハウジングは、２つの部分から組み立てられている。図１５Ａおよび図１５Ｂの例によって内側部分を示し、図１５Ｃおよび図１５Ｄの例によって外側部分を示す。
【００５９】
図１６Ａ〜図１６Ｄを参照する。図１６Ａ〜図１６Ｄは、ばねとして作られた電気接点の製品図面の例を示す。図１６Ａおよび図１６Ｂは、それぞれ、１２Ｗの電力用の電源アダプタハウジング用の左側接点および右側接点に関する。図１６Ｃのばね接点は、１８Ｗの電力用の電源アダプタハウジングと共に使用されうる。図１６Ｄのばね接点は、直流バイアスのために使用されうる。
【００６０】
本発明に従って構成された具体的な実施形態に関して本発明を説明したが、本発明の様々な修正形態、変更形態、および改良形態が上述の教示を考慮して、また、本発明の範囲から逸脱することなく添付の特許請求の範囲内で作られうることが当業者には明らかであろう。
【００６１】
また、本明細書に説明した本発明を不必要に曖昧にしないように当業者が精通していると思われる部分については、本明細書では説明していない。したがって、本発明が特定の例示された実施形態によって制限されるものではなく、添付の特許請求の範囲のみによって制限されるものであることが理解されよう。
【図１】
2017526138.tif 000003
【図２】
2017526138.tif 000004
【図３】
2017526138.tif 000005
【図４】
2017526138.tif 000006
【図５】
2017526138.tif 000007
【図６】
2017526138.tif 000008
【図７Ａ】
2017526138.tif 000009
【図７Ｂ】
2017526138.tif 000010
【図７Ｃ】
2017526138.tif 000011
【図８】
2017526138.tif 000012
【図９】
2017526138.tif 000013
【図１０Ａ】
2017526138.tif 000014
【図１０Ｂ】
2017526138.tif 000015
【図１０Ｃ】
2017526138.tif 000016
【図１０Ｄ】
2017526138.tif 000017
【図１１】
2017526138.tif 000018
【図１２】
2017526138.tif 000019
【図１３】
2017526138.tif 000020
【図１４】
2017526138.tif 000021
【図１５Ａ】
2017526138.tif 000022
【図１５Ｂ】
2017526138.tif 000023
【図１５Ｃ】
2017526138.tif 000024
【図１５Ｄ】
2017526138.tif 000025
【図１６Ａ】
2017526138.tif 000026
【図１６Ｂ】
2017526138.tif 000027
【図１６Ｃ】
2017526138.tif 000028
【図１６Ｄ】
2017526138.tif 000029
【国際調査報告】
2017526138.tif 000030
2017526138.tif 000031
2017526138.tif 000032